(57)【要約】【課題】太陽光からの熱の装置本体内への侵入を、装置本体を大型化することなく防止することができることと、熱の内視鏡内への侵入を防止することとの少なくとも一方が講じられた構成を有する内視鏡装置を提供する。【解決手段】細長の挿入部２０を有する内視鏡２と、内視鏡２が接続された装置本体３と、を具備する内視鏡装置１であって、内視鏡２と装置本体３との少なくとも一方に、太陽光からの熱線を反射するとともに遮熱する反射断熱層が形成されていることを特徴とする。【選択図】図１
2007041019.tif 000002
【特許請求の範囲】
【請求項１】
細長の挿入部を有する内視鏡と、
前記内視鏡が接続された装置本体と、
を具備する内視鏡装置であって、
前記内視鏡と前記装置本体との少なくとも一方に、太陽光からの熱線を反射するとともに遮熱する反射断熱層が形成されていることを特徴とする内視鏡装置。
【請求項２】
前記反射断熱層は、前記太陽光を７０％以上の反射率で反射させる反射断熱剤の塗布により形成されていることを特徴とする請求項１に記載の内視鏡装置。
【請求項３】
前記反射断熱層は、前記装置本体の外表面の全体に形成されていることを特徴とする請求項１または２に記載の内視鏡装置。
【請求項４】
前記反射断熱層は、前記装置本体の外表面の少なくとも前記熱線の被照射面に形成されていることを特徴とする請求項１または２に記載の内視鏡装置。
【請求項５】
前記被照射面は、少なくとも前記装置本体の載置面に対向する天面であることを特徴とする請求項４に記載の内視鏡装置。
【請求項６】
前記装置本体は、前記内視鏡により撮像された画像を表示する画像表示面を有する画像表示手段を具備し、前記被照射面は、前記画像表示手段の前記画像表示面の裏面であることを特徴とする請求項４または５に記載の内視鏡装置。
【請求項７】
前記画像表示手段に、前記画像表示面に対し開閉自在であって、閉成された際、前記画像表示面を保護する保護材が接続されており、前記被照射面は、前記保護材の前記画像表示面に対向する面の裏面であることを特徴とする請求項４〜６のいずれか１つに記載の内視鏡装置。
【請求項８】
前記反射断熱層は、さらに熱放射性を有し、
前記装置本体の前記被照射面を除く前記外表面に、前記反射断熱層よりも熱放射率の高い熱放射層が形成されていることを特徴とする請求項４〜７のいずれか１つに記載の内視鏡装置。
【請求項９】
前記装置本体の前記被照射面を除く前記外表面は、前記保護材の前記画像表示面に対向する面であることを特徴とする請求項８に記載の内視鏡装置。
【請求項１０】
前記装置本体の外表面の裏面となる内面の少なくとも一部に、前記反射断熱層が形成されていることを特徴とする請求項１〜９のいずれか１つに記載の内視鏡装置。
【請求項１１】
前記反射断熱層は、前記挿入部の外表面の少なくとも一部に形成されていることを特徴とする請求項１〜１０のいずれか１つに記載の内視鏡装置。
【請求項１２】
前記挿入部の先端の内部に、被写体を撮像する撮像ユニットが少なくとも配設されており、前記挿入部の先端の外表面の少なくとも一部に、前記反射断熱層が形成されていることを特徴とする請求項１〜１１のいずれか１つに記載の内視鏡装置。
【請求項１３】
前記挿入部の先端の外表面の裏面となる内面の少なくとも一部に、前記反射断熱層が形成されていることを特徴とする請求項１２に記載の内視鏡装置。
【請求項１４】
前記内視鏡の前記挿入部の基端側に、前記内視鏡の操作部が設けられており、前記操作部の外表面の少なくとも一部に、前記反射断熱層が形成されていることを特徴とする請求項１〜１３のいずれか１つに記載の内視鏡装置。
【発明の詳細な説明】
【技術分野】
【０００１】
本発明は、内視鏡装置、詳しくは、細長の挿入部を有する内視鏡と該内視鏡が接続された装置本体とを具備する内視鏡装置に関する。
【背景技術】
【０００２】
周知のように、内視鏡装置は、医療分野及び工業用分野において広く利用されている。医療分野において用いられる内視鏡装置は、内視鏡の細長い挿入部を体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡装置は、内視鏡の細長い挿入部をジェットエンジン内や、工場の配管等に挿入することによって、被検部位の傷及び腐蝕等の観察や各種処置等を行うことができる。よって、工業用の内視鏡装置は、屋外や、工場等の作業施設で一般的に使用される。
【０００４】
尚、工業用の内視鏡装置には、例えば１０ｍの長さの挿入部を有する大型のものや、例えば３ｍの長さの挿入部を有する携帯性に優れたショルダ式の小型のものが周知である。
【０００５】
工業用の内視鏡装置は、先端に、撮像レンズやＣＣＤ等の撮像素子を有する撮像ユニットが配設された細長の挿入部を有する内視鏡と、該内視鏡が接続された装置本体とにより構成されているのが一般的である。尚、小型の内視鏡装置においては、挿入部の先端にＬＥＤ等の光源が配設されているものも周知である。
【０００６】
また、装置本体内には、内視鏡を駆動する各種部材、具体的には、撮像ユニットの駆動及び撮像ユニットから出力された被写体の画像信号を処理する画像処理ユニット等の電気部品や、内視鏡装置のバッテリユニット等が配設されている。
【０００７】
ところで、装置本体内に配設される各種電気部品は、電源が供給されると発熱する。よって、内視鏡の駆動により、各種電気部品がある一定の温度以上に発熱すると、装置本体内の雰囲気を過度に熱してしまい、その結果、電気部品の耐熱温度が低いと電気部品の機能が停止するまたは電気部品の正常な動作に支障をきたす等の不具合が発生する場合がある。
【０００８】
さらに、工業用の内視鏡装置は、一般に屋外で使用される場合が多い。よって、日射の強い屋外、例えば炎天下の際、赤道直下において内視鏡装置が使用されると、内視鏡装置の外装筐体は、通常日射、即ち太陽光からの熱を吸収しやすい黒色に塗装されているため、熱が装置本体内に侵入してしまう場合がある。
【０００９】
熱が装置本体内に侵入すると、装置本体内の雰囲気の温度が過度に上昇してしまい、その結果、雰囲気の温度上昇により、電気部品の機能が停止するまたは電気部品の正常な動作に支障をきたす等の不具合が発生する場合がある。
【００１０】
このような問題に鑑み、特許文献１には、装置本体の内部、具体的には、装置本体の外表面を構成する外装筐体の内側に断熱材を配設するとともに、電気部品等の発熱部と外装筐体とを熱伝達部材により接続した構成を有する電子機器が開示されている。
【００１１】
特許文献１に開示されている技術では、発熱部の熱は、熱伝達部材を介して外装筐体から装置本体の外部に熱放射させることができるとともに、装置本体内に侵入する太陽光からの熱は、断熱材により防ぐことができるため、装置本体内の雰囲気の温度が過度に上昇し、電気部品に不具合が発生してしまうことを防止することができる。
【００１２】
また、特許文献２には、装置本体の内部、具体的には、装置本体の外表面を構成する外装筐体の内部に、外装筐体との間に空間を有するよう箱体を配設し、該箱体の内部に、電気部品等の発熱部を配設した構成を有する電子機器が開示されている。
【００１３】
特許文献２に開示されている技術では、箱体と外装筐体との間の空間に、熱伝導率の低い空気が介在されていることにより、装置本体内に侵入する太陽光からの熱が、箱体に侵入し難い、即ち熱伝達され難いことから、太陽光からの熱により、発熱部が配設された箱体内の雰囲気の温度が上昇し、電気部品に不具合が発生してしまうことを防止することができる。
【特許文献１】特開２００１−５７４８５号公報
【特許文献２】特開２００３−２０９３７５号公報
【発明の開示】
【発明が解決しようとする課題】
【００１４】
しかしながら、特許文献１に開示された電子機器においては、外装筐体の内側に断熱材を配設するため、装置本体が大型化してしまうといった問題の他、装置本体内に、発熱体と外装筐体とを接続する熱伝達部材が配設されているため、装置本体内の構成が複雑になるとともに、装置本体内に配設される各種部品のレイアウトが制限されてしまうといった問題がある。
【００１５】
また、特許文献２に開示された電子機器においては、装置本体内に、外装筐体との間に空間を有するよう箱体が配設されていることから、空間を確保するため、装置本体が大型化してしまうといった問題がある。
【００１６】
このため、特許文献１及び特許文献２に開示された電子機器の構成は、携帯性に優れたショルダ式の小型の内視鏡装置に適用することが難しい。
【００１７】
さらに、上述したように、内視鏡挿入部の先端（以下、先端部と称す）に、ＣＣＤ等の撮像素子が配設されているが、撮像素子は耐熱温度、即ち動作保証温度が、例えば６０℃と低いため、先端部内に、太陽光からの熱が侵入し、先端部内の雰囲気が撮像素子の動作保証温度以上に熱されてしまうと、撮像素子の機能が停止してしまうまたは撮像素子の正常な動作に支障をきたす等の不具合が発生する。よって、先端部内に侵入する熱も考慮する必要がある。
【００１８】
本発明は、上記問題点及び事情に鑑みてなされたものであり、太陽光からの熱の装置本体内への侵入を、装置本体を大型化することなく防止することができることと、熱の内視鏡内への侵入を防止することとの少なくとも一方が講じられた構成を有する内視鏡装置を提供することを目的とする。
【課題を解決するための手段】
【００１９】
上記目的を達成するために本発明による内視鏡装置は、細長の挿入部を有する内視鏡と、前記内視鏡が接続された装置本体と、を具備する内視鏡装置であって、前記内視鏡と前記装置本体との少なくとも一方に、太陽光からの熱線を反射するとともに遮熱する反射断熱層が形成されていることを特徴とする。
【発明の効果】
【００２０】
本発明の内視鏡装置によれば、太陽光からの熱の装置本体内への侵入を、装置本体を大型化することなく防止することと、熱の内視鏡内への侵入を防止することとの少なくとも一方を講じることができる。
【発明を実施するための最良の形態】
【００２１】
以下、図面を参照して本発明の実施の形態を説明する。尚、以下、内視鏡装置は、携帯性に優れたショルダ式の工業用の内視鏡装置を例に挙げて説明する。
【００２２】
（第１実施の形態）
図１は、本発明の第１実施の形態を示す内視鏡装置の斜視図、図２は、図１の挿入部の先端部の内部の構成を示す斜視図、図３は、図１の内視鏡装置を使用する際の、装置本体の戴置状態を示す斜視図である。
【００２３】
図１に示すように、内視鏡装置１は、内視鏡２と該内視鏡２に接続された装置本体３とにより主要部が構成されている。 
内視鏡２は、細長で可撓性を有する挿入部２０と、該挿入部２０の挿入方向基端に接続された、把持部２５を有する操作部２４と、該操作部２４の把持部２５から延出された可撓性を有するユニバーサルコード２６とにより主要部が構成されている。
【００２４】
挿入部２０に、該挿入部２０の先端側から順に、先端部２１と、操作部２４の後述する湾曲操作レバー３１の湾曲操作により、例えば上下／左右方向に湾曲される湾曲部２２と、可撓性部材にて形成された長尺な可撓管部２３とが連設されており、可撓管部２３の基端部が、操作部２４に接続されている。
【００２５】
図２に示すように、先端部２１の内部に、対物レンズ等の対物光学系４０及びＣＣＤ等の撮像素子４１を有する撮像ユニット４２が配設されている。また、先端部２１の挿入方向先端の面２１ｓの略中央に、対物レンズ４０ａが臨まれており、面２１ｓの対物レンズ４０ａを囲む位置に、例えば複数のＬＥＤ等の光源４５が略等間隔となるよう配設されている。尚、光源４５は、１つのみ配設されていても構わない。
【００２６】
先端部２１、湾曲部２２及び可撓管部２３の内部に、撮像ユニット４２の駆動と撮像信号の送受信を行う信号ケーブル、光源４５にバッテリユニットからの電源を供給する照明ケーブル（いずれも図示されず）等が配設されており、また、湾曲部２２及び可撓管部２３の内部に、湾曲部２２を湾曲させる湾曲操作ワイヤ等が配設されている。
【００２７】
操作部２４に、湾曲部２２を湾曲動作させる湾曲操作レバー（以下、湾曲レバーと称す）３１が少なくとも４方向に傾倒自在となるよう直立して配設されている。湾曲レバー３１は、上述した湾曲操作ワイヤ等を有する湾曲ユニットを介して湾曲部２２と接続されている。
【００２８】
湾曲レバー３１は、操作者により傾倒方向が変化されることによって、湾曲部２２を上下／左右の４方向の内、いずれかの方向に湾曲動作させる。また、湾曲レバー３１は、操作者により傾倒角度が変化されることによって、傾倒された方向において、湾曲部２２を、湾曲レバー３１の傾倒角度に応じた角度に湾曲させる。尚、操作部２４に、図示しないが、湾曲レバー３１の他、撮像ユニット４２の各種撮像動作を指示する各種スイッチが配設されている。
【００２９】
ユニバーサルコード２６内に、上述した信号ケーブル、照明ケーブル等が配設されており、ユニバーサルコード２６の一端は、操作部２４に接続され、他端は、装置本体３に接続されている。
【００３０】
装置本体３は、例えば箱状を有しており、装置本体３の、例えばマグネシウムダイキャストにより構成された外装筐体３５により覆われた内部に、画像処理用のＣＰＵ等の電気部品６１が複数固定された基板６０（いずれも図３参照）や、装置本体３及び光源４５に照明ケーブルを介して電源を供給するバッテリユニット（図示されず）等が配設されている。尚、基板６０及び電気部品６１は、電源が供給されることにより発熱し、装置本体３内の雰囲気温度を高くしている。
【００３１】
また、装置本体３の外装筐体３５に、内視鏡２の撮像ユニット４２により撮像され、信号ケーブルを介して送信された内視鏡画像を表示する画像表示面３３を有する画像表示手段であるモニタ７が固定されている。
【００３２】
詳しくは、モニタ７は、図１、図３に示すように、画像表示面３３を有するモニタ面７ｍの裏面７ｒが、装置本体３の外装筐体３５の６つの外表面１１〜１６（図４参照）の内の一面、例えば外表面１１に対して開閉自在となるよう、蝶番等を介して装置本体３の外表面１１に固定されている。尚、モニタ７の裏面７ｒは、装置本体３の外表面の一部を構成している。また、モニタ７は、外装筐体３５に対し、着脱自在であっても構わない。
【００３３】
モニタ７は、内視鏡装置１が未使用の際は、図１に示すように、モニタ７の裏面７ｒが、外装筐体３５の外表面１１に対して当接する閉位置に閉成され、内視鏡装置１が使用される際は、図３に示すように、裏面７ｒが、外装筐体３５の外表面１１に対して離間する開位置に開成される。
【００３４】
モニタ７のモニタ面７ｍに、内視鏡装置１が未使用の際、画像表示面３３を覆って保護する保護材である、例えば樹脂により形成されたカバー板３０が固定されている。詳しくは、カバー板３０は、該カバー板３０の画像表示面３３に対向する対向面３０ｔが、画像表示面３３に対して開閉自在となるよう、モニタ面７ｍに固定されている。尚、対向面３０ｔの裏面３０ｒは、装置本体３の外表面の一部を構成している。
【００３５】
また、カバー板３０は、内視鏡装置１が未使用の際は、図１に示すように、カバー板３０の対向面３０ｔが、画像表示面３３に対して当接して画像表示面３３を覆う閉位置に閉成され、内視鏡装置１が使用される際は、図２に示すように、対向面３０ｔが、画像表示面３３に対して離間する開位置に開成される。
【００３６】
また、装置本体３の携帯性を向上させるため、装置本体３を操作者の肩等に掛けるためのベルト１０が、例えば装置本体３に対して着脱自在となるよう、外装筐体３５に２点で固定されている。
【００３７】
さらに、箱状の装置本体３の外装筐体３５の少なくとも４辺に、装置本体３を戴置するためのゴム（例えばＮＢＲ）等により形成された、例えば４つの脚部５８が固定されている。脚部５８には、装置本体３を、地表等に対し、複数の方向に載置できるよう、例えば４つの載置面５８ａ〜５８ｄが形成されている（図１では、１つの脚部５８のみ図示）。
【００３８】
尚、本実施では、図３に示すように、内視鏡装置１が使用される際は、４つの脚部５８の各４つの載置面５８ａ〜５８ｄの内、例えば各戴置面５８ｄが地表等に載置されることにより、装置本体３は、該装置本体３の外装筐体３５の外表面の一面である外表面１５が地表に対して対向するよう載置される。
【００３９】
尚、以下、面１５を載置面とし、載置面にも符号１５を付す。また、載置面１５に対向する外装筐体３５の外表面１１を、天面とし、天面にも符号１１を付す。さらに、内視鏡装置１が使用される際の装置本体３の載置方向は、安定して載置できる方向であれば、上述した方向に限定されない。
【００４０】
図４は、図３に示す載置状態の装置本体を概略的に示す斜視図、図５は、図４の装置本体を載置面の方向から見た斜視図、図６は、図４の外装筐体の天面を有する部位のみをＶＩ−ＶＩ線に沿って断面にして示した断面図、図７は、図２のカバー板を、該カバー板の裏面とモニタの裏面とが、略同一平面となる位置まで開成した状態でのモニタ及びカバー板を裏面側から見た平面図である。尚、図４、図５においては、説明を簡略にするため、４つの脚部５８、モニタ７、カバー板３０の記載は省略してある。
【００４１】
図４、図５に示すように、装置本体３の外装筐体３５の６つの外表面１１〜１６、即ち全体となる全面に、太陽光からの赤外線である熱線を反射するとともに遮熱する、例えば太陽光の熱線を吸収し難い白色の反射断熱層５０が形成されている。尚、反射断熱層５０は、熱放射機能も有している。また、反射断熱層５０は、白色に限定されない。
【００４２】
反射断熱層５０は、図６に示すように、例えば下塗り層５０ａ、中塗り層５０ｂ、上塗層５０ｃの３層により構成されている。詳しくは、反射断熱層５０は、例えば４種のセラミック微粒子を主剤とする太陽光を７０％以上の反射率で反射する反射断熱剤を、例えばスプレーガンにより、下塗り、中塗り、上塗の順に３層に重畳して塗布することにより形成されている。
【００４３】
尚、反射断熱層５０の塗布は、スプレーガンに限定されず、手塗りまたは外装筐体３５を反射断熱剤に没入させる等により行ってもよい。また、反射断熱層５０の形成は、塗布に限定されず、コーティング等であってもよい。さらに、反射断熱層５０は、３層に限らず、何層に形成されていても構わない。
【００４４】
また、図７に示すように、装置本体３の外表面となるモニタ７の裏面７ｒ及びカバー板３０の裏面３０ｒにも、反射断熱層５０が形成されている。即ち、装置本体３の外表面の全面に、反射断熱層５０が形成されている。
【００４５】
尚、反射断熱剤を塗布するに際しては、装置本体３の外表面の全面に塗布するため、外表面毎に塗布の有無を判別する必要がないことから、塗布工程を容易にして、装置本体３の外表面の全面に反射断熱層５０が形成される。
【００４６】
このように、本実施においては、装置本体３の外表面の全面、具体的には、装置本体３の外装筐体３５の外表面１１〜１６とモニタ７の裏面７ｒとカバー板３０の裏面３０ｒとに、太陽光からの熱線を反射するとともに遮熱する反射断熱層５０が形成されていると示した。
【００４７】
このことによれば、内視鏡装置１を炎天下において使用した際、太陽光からの熱線は、反射断熱層５０により反射、遮熱されることから、熱が装置本体３に侵入し難い。よって、装置本体３内の雰囲気が、太陽光の熱により過度に熱されてしまい、その結果、基板６０及び電気部品６１等に、侵入した熱に起因して、機能が停止するまたは正常な動作に支障をきたす等の不具合が発生することがない。
【００４８】
尚、このことは、装置本体３の外表面に、反射断熱層５０を形成するのみでよいことから、太陽光からの熱の装置本体３内への侵入を、装置本体３を大型化することなく防止することができる。
【００４９】
さらに、装置本体３の外装筐体３５は、マグネシウムダイキャスト等の金属により形成されていることから、太陽光の熱線により熱されやすいが、外装筐体３５の外表面１１〜１６は、反射断熱層５０により、太陽光の熱で熱さることがないため、操作者は、外装筐体３５の外表面１１〜１６の温度を気にせずに、外装筐体３５の外表面１１〜１６に触れることが可能となり、使い勝手が向上する。
【００５０】
また、携帯性に優れたショルダ式の工業用の内視鏡装置においては、装置本体３の内部を、外装筐体３５により閉塞することにより、密閉空間にし、該密閉空間に、各種電気部品等を配設する場合もあるが、このような内視鏡装置に、本実施を適用すると、より効果的に、装置本体３内の雰囲気が過度に熱されてしまうことを防止することができる。
【００５１】
尚、以下変形例を示す。 
図８は、図６の天面を有する部位の外装筐体の裏面に、反射断熱層を形成した変形例を示す断面図である。
【００５２】
本実施においては、反射断熱層５０は、装置本体３の外表面に塗布すると示した。これに限らず、反射断熱層５０は、図８に示すように、例えば装置本体３の外装筐体３５の６つの外表面１１〜１６の裏面、即ち外装筐体３５の内面（図８では、内面１１ｒのみ図示）に、例えば反射断熱剤への没入により形成してもよい。
【００５３】
これは、反射断熱層５０は、熱放射機能も有するため、外装筐体３５の内面に反射断熱層５０を形成すれば、基板６０及び電気部品６１の発熱による熱輻射により熱された装置本体３内の雰囲気の熱を、反射断熱層５０により、外装筐体３５の外部に熱放射することができる。
【００５４】
また、以下、別の変形例を示す。本実施においては、反射断熱層５０は、装置本体３の外表面の全面に形成されている、具体的には、外装筐体３５の外表面１１〜１６とモニタ７の裏面７ｒとカバー板３０の裏面３０ｒの全面に形成されていると示したが、全面に限らず、外装筐体３５の外表面１１〜１６とモニタ７の裏面７ｒとカバー板３０の裏面３０ｒの少なくとも一部に形成されていても構わない。
【００５５】
さらには、外装筐体３５の外表面１１，１２，１３，１４，１５，１６と、モニタ７の裏面７ｒと、カバー板３０の裏面３０ｒとの少なくとも１つの面のみに、反射断熱層５０が形成されていても構わない。また、４つの脚部５８、モニタ７のモニタ面７ｍにも、反射断熱層５０が形成されていてもよいということは云うまでもない。
【００５６】
（第２実施の形態）
図９は、本発明の第２実施の形態を示す内視鏡装置の装置本体を概略的に示す斜視図、図１０は、装置本体のカバー板を、該カバー板の対向面とモニタのモニタ面とが、略同一平面となる位置まで開成した状態でのモニタ及びカバー板を画像表示面側から見た平面図である。
【００５７】
この第２実施の形態の内視鏡装置の構成は、上記図１乃至図８に示した内視鏡装置１と比して、内視鏡装置１を使用するにあたり、装置本体３を、戴置面１５を地表等に対して対向するよう載置した際、反射断熱層５０を、外装筐体の外表面における太陽光からの熱線の被照射面のみに形成した点が異なる。よって、この相違点のみを説明し、第１実施の形態と同様の構成には同じ符号を付し、その説明は省略する。
【００５８】
図９に示すように、内視鏡装置１を使用するにあたり、装置本体３を、戴置面１５を地表等に対して対向するよう載置した際、装置本体３の外装筐体３５の外表面の内、太陽光からの熱線の被照射面となる、例えば天面１１に、反射断熱層５０が形成されている。尚、反射断熱層５０の形成方法は、上述した第１実施と同様である。
【００５９】
また、装置本体３の外装筐体３５の外表面の内、被照射面を除く外表面、即ち、反射断熱層５０が形成されていない外表面１２〜１６に、反射断熱層５０よりも熱放射率の高い熱放射層７０が、例えばスプレーガンを用いた塗布により形成されている。
【００６０】
さらに、図１０に示すように、カバー板３０の対向面３０ｔにも、反射断熱層５０よりも熱放射率の高い熱放射層７０が、例えば塗布により形成されている。
【００６１】
このように構成された本実施においては、装置本体３の外装筐体３５の外表面の内、太陽光からの熱線の被照射面となる天面１１に、反射断熱層５０が形成されていると示した。このことにより、上述した第１実施と同様に、内視鏡装置を炎天下において使用した際、太陽光からの熱線は、反射断熱層５０により反射、遮熱されることから、熱が被照射面となる天面１１から装置本体３に侵入し難い。よって、装置本体３内の雰囲気が、太陽光の熱により過度に熱されてしまい、その結果、基板６０及び電気部品６１（いずれも図３参照）等に、侵入した熱に起因して、機能が停止するまたは正常な動作に支障をきたす等の不具合が発生することがない。
【００６２】
また、装置本体３の外装筐体３５の外表面の内、天面１１以外の外表面１２〜１６に、反射断熱層５０よりも熱放射率の高い熱放射層７０が形成されているため、装置本体３内の熱された雰囲気を、熱放射層７０により、上述した第１実施よりもより効率的に、装置本体３外に放熱することができる。即ち放熱効率が良くなる。その結果、基板６０及び電気部品６１（いずれも図３参照）等に、装置本体３内の過度に熱された雰囲気により、機能が停止するまたは正常な動作に支障をきたす等の不具合が発生することがない。
【００６３】
さらに、カバー板３０の対向面３０ｔにも、熱放射層７０が形成されているため、地表等により、反射された太陽光が、カバー板３０の対向面３０ｔで２次反射し、該２次反射した太陽光の熱線が、画像表示面３３に侵入し、該画像表示面３３を熱してしまうことを、熱放射層７０により防止することができる。尚、その他の効果は、上述した第１実施と同様である。
【００６４】
以下、変形例を示す。
【００６５】
本実施においては、装置本体３の外装筐体３５の太陽光からの熱線の被照射面は、天面１１を例に挙げて示したが、これに限らず、被照射面を、載置面１５を除く外表面１２，１３，１４，１６の少なくとも１つに設定し、該少なくとも１つの外表面１２，１３，１４，１６に、反射断熱層５０を形成してもよい。
【００６６】
また、本実施においては、載置面を外表面１５としたが、載置面を他の外表面に設定した場合には、外装筐体３５の被照射面に、外表面１５を含むことは、云うまでない。
【００６７】
（第３実施の形態）
図１１は、本発明の第３実施の形態を示す内視鏡装置の内視鏡挿入部の先端部の外表面のみに、反射断熱層を形成した状態を示す拡大斜視図である。
【００６８】
この第３実施の形態の内視鏡装置の構成は、上述した第１実施の形態及び第２実施の形態の内視鏡装置と比して、内視鏡２の挿入部２０の先端部２１の外表面にも、反射断熱層５０を形成した点が異なる。よって、この相違点のみを説明し、第１実施、第２実施の形態と同様の構成には同じ符号を付し、その説明は省略する。
【００６９】
ところで、先端部２１は、例えば金属の硬管により形成されており、先端部２１の金属の硬管の外表面２１ｇの少なくとも一部に、図１１に示すように、反射断熱層５０が形成されている。尚、先端面２１ｓにも反射断熱層５０を形成してもよい。尚、反射断熱層５０の形成方法は、上述した第１実施と同様である。
【００７０】
また、先端部２１の金属の硬管の内部に、上述したように、対物レンズ等の対物光学系４０及びＣＣＤ等の撮像素子４１を有する撮像ユニット４２が配設されている。
【００７１】
さらに、本実施であっても、装置本体３の外装筐体３５の外表面１１〜１６、モニタ７の裏面７ｒ、カバー板３０の裏面３０ｒに反射断熱層５０が形成されていても構わない。
【００７２】
このように本実施においては、先端部２１の金属の硬管の外表面２１ｇに、反射断熱層５０が形成されていると示した。このことにより、内視鏡装置１を炎天下において使用した際、太陽光及び該太陽光からの熱線は、反射断熱層５０により反射、遮熱されることから、熱が先端部２１内に侵入し難い。
【００７３】
よって、太陽光の熱が先端部２１内に侵入し、先端部２１内の雰囲気が過度に熱されることに起因して、先端部２１内に配設された、動作保証温度が低い撮像素子４１の機能が停止するまたは正常な動作に支障をきたす等の不具合が、撮像素子４１に発生することを防ぐことができる。
【００７４】
また、先端部２１の外表面２１ｇは、反射断熱層５０により、太陽光の熱線で熱さることがないため、使用者は、先端部２１の外表面２１ｇの温度を気にせずに、外表面２１ｇに触れることが可能となり、使い勝手が向上する。
【００７５】
尚、以下変形例を示す。図１２は、図１１の先端部を構成する硬管の内面に、反射断熱層を形成した状態を、硬管のみを断面にして示す図である。
【００７６】
本実施においては、反射断熱層５０は、先端部２１の外表面２１ｇに形成すると示したが、これに限らず、反射断熱層５０は、図１２に示すように、先端部２１の外表面の裏面、即ち先端部２１を構成する硬管の内面２１ｒに、例えば反射断熱剤への没入により形成してもよい。
【００７７】
これは、反射断熱層５０は、熱放射機能も有するため、先端部２１の内面２１ｒに反射断熱層５０を形成すれば、撮像素子４１の発熱による熱輻射により熱された先端部２１内の雰囲気の熱を、反射断熱層５０により、効率良く先端部２１の外部に熱放射することができる。
【００７８】
また、以下、別の変形例を示す。 
図１３は、内視鏡挿入部の外表面の全面に反射断熱層を形成した状態を示す斜視図である。
【００７９】
本実施においては、反射断熱層５０は、先端部２１の外表面２１ｇのみに形成されていると示した。これに限らず、図１３に示すように、挿入部２０の外表面２０ｇ、即ち、先端部２１、湾曲部２２及び可撓管部２３の外表面の少なくとも一部に、反射断熱層５０が形成されていてもよい。尚、反射断熱層５０の形成方法は、上述した第１実施と同様である。
【００８０】
挿入部２０の湾曲部２２及び可撓管部２３は、例えば螺旋管に外装部材が被覆されることにより形成されている。尚、外装部材は、網管に、例えば樹脂製の外皮チューブが被覆され、さらに外皮チューブに、例えば樹脂が加工されたタングステン等の金属が被覆されることにより形成されている。よって、湾曲部２２及び可撓管部２３の外表面は、タングステン等の金属により構成されている。このことから、挿入部２０の外表面２０ｇは、先端部２１も金属で形成されていることも含めて金属部材から形成されている。
【００８１】
よって、挿入部２０の外表面２０ｇに反射断熱層５０が形成されていれば、熱を吸収し易く熱され易い金属により形成されていたとしても、反射断熱層５０により、太陽光の熱線で熱さることがないため、使用者は、挿入部２０の外表面２０ｇの温度を気にせずに、外表面２０ｇに触れることが可能となり、使い勝手が向上する。
【００８２】
さらに、以下、別の変形例を示す。 
図１４は、図１３の内視鏡操作部の外表面に、反射断熱層を形成した状態を示す拡大斜視図である。
【００８３】
図１４に示すように、操作部２４の外装部材の外表面２４ｇ、特に把持部２５の外表面２５ｇの少なくとも一部にも、さらに反射断熱層５０が形成されていてもよい。尚、反射断熱層５０の形成方法は、上述した第１実施と同様である。
【００８４】
よって、操作部２４の外装部材の外表面２４ｇに反射断熱層５０が形成されておれば、内視鏡装置１を炎天下において使用した際、太陽光及び該太陽光からの熱線は、反射断熱層５０により反射、遮熱されることから、熱が操作部２４内に侵入し難い。
【００８５】
よって、太陽光の熱が操作部２４内に侵入し、操作部２４内の雰囲気が過度に熱されることに起因して、操作部２４内に配設された、各種電気部品に不具合が発生してしまうことを防ぐことができる。
【００８６】
また、操作部２４の外表面２４ｇは、反射断熱層５０により、太陽光の熱線で熱さることがないため、使用者は、操作部２４の外表面２４ｇの温度を気にせずに、外表面２４ｇに触れることが可能となり、使い勝手が向上する。尚、このことは、内視鏡装置を使用されるに際し、使用者により必ず把持される把持部２５において特に有効である。
【００８７】
尚、上述した第１〜第３実施においては、内視鏡装置１には、携帯性に優れたショルダ式の工業用の内視鏡装置を例に挙げて説明したが、これに限らず、約１０ｍの長さの挿入部を有し、該挿入部を装置本体に収納する大型の工業用の内視鏡装置に適用してもよいことは勿論である。
【００８８】
さらに、工業用の内視鏡装置に限定されず、医療用の内視鏡装置に適用してもよいことは云うまでもない。
【図面の簡単な説明】
【００８９】
【図１】本発明の第１実施の形態を示す内視鏡装置の斜視図。
【図２】図１の挿入部の先端部の内部の構成を示す斜視図。
【図３】図１の内視鏡装置を使用する際の、装置本体の戴置状態を示す斜視図。
【図４】図３に示す載置状態の装置本体を概略的に示す斜視図。
【図５】図４の装置本体を載置面の方向から見た斜視図。
【図６】図４の外装筐体の天面を有する部位のみをＶＩ−ＶＩ線に沿って断面にして示した断面図。
【図７】図２のカバー板を、該カバー板の裏面とモニタの裏面とが、略同一平面となる位置まで開成した状態でのモニタ及びカバー板を裏面側から見た平面図。
【図８】図６の天面を有する部位の外装筐体の裏面に、反射断熱層を形成した変形例を示す断面図。
【図９】本発明の第２実施の形態を示す内視鏡装置の装置本体を概略的に示す斜視図。
【図１０】装置本体のカバー板を、該カバー板の対向面とモニタのモニタ面とが、略同一平面となる位置まで開成した状態でのモニタ及びカバー板を画像表示面側から見た平面図。
【図１１】本発明の第３実施の形態を示す内視鏡装置の内視鏡挿入部の先端部の外表面のみに、反射断熱層を形成した状態を示す拡大斜視図。
【図１２】図１１の先端部を構成する硬管の内面に、反射断熱層を形成した状態を、硬管のみを断面にして示す図。
【図１３】内視鏡挿入部の外表面の全面に反射断熱層を形成した状態を示す斜視図。
【図１４】図１３の内視鏡操作部の外表面に、反射断熱層を形成した状態を示す拡大斜視図。
【符号の説明】
【００９０】
１…内視鏡装置
２…内視鏡
３…装置本体
７…モニタ
７ｒ…モニタの裏面
１１…天面（外表面）
１１…天面の裏面
１２…外表面
１３…外表面
１４…外表面
１５…載置面（外表面）
１６…外表面
２０…挿入部
２０ｇ…挿入部の外表面
２１…先端部
２１ｇ…先端部の外表面
２１ｒ…先端部の内面
２４…操作部
２４ｇ…操作部の外表面
３０…カバー板
３０ｒ…カバー板の裏面
３０ｔ…カバー板の対向面
３３…画像表示面
４２…撮像ユニット
５０…反射断熱層
７０…熱放射層
【図１】
2007041019.tif 000003
【図２】
2007041019.tif 000004
【図３】
2007041019.tif 000005
【図４】
2007041019.tif 000006
【図５】
2007041019.tif 000007
【図６】
2007041019.tif 000008
【図７】
2007041019.tif 000009
【図８】
2007041019.tif 000010
【図９】
2007041019.tif 000011
【図１０】
2007041019.tif 000012
【図１１】
2007041019.tif 000013
【図１２】
2007041019.tif 000014
【図１３】
2007041019.tif 000015
【図１４】
2007041019.tif 000016